Podtech/llm-jp-corpus-v4-ja_patent huggingface dataset:
(57)【要約】【課題】海釣り、主に紀州釣りにおいて棚合わせ（浮き設定）は釣果を左右するほど重要な作業であるが、従来の棚合わせは、釣り仕掛けにオモリもしくはダンゴを釣り針に付け海面へ何度となく投入し棚を決めている。この煩わしい作業を素早く、簡単に出来る棚取具を提供する。【解決手段】基端部操作により、先端が互いに釣糸を挟む上下クランプと片方の先端に設けられた釣糸のガイドとなる２本の軸歯と片方の各クランプに備えられた浮力体とで構成された棚取具の使用により快適な釣りが楽しめる。【選択図】  図６
0003117208.tif 000002
【実用新案登録請求の範囲】
【請求項１】
基端の操作により、中央軸を中心にその先端が互いに釣糸を挟む上下のクランプとこのクランプの少なくとも片方の先端に設けられた釣糸のガイドでなる２本の軸歯と上下のクランプに備えられた浮力体とでなし釣糸のオモリの落下状態では軸歯がほぼ水平となりかつ引揚げ状態で垂直になりて釣糸を巻き付ける様浮力体が横向きとなる様にした事を特徴とした棚取具。
【請求項２】
２本の軸歯を片方のクランプに儲け他方に嵌合する小孔を設けたことを特徴とする請求項１記載の棚取具。
【請求項３】
２本の軸歯は互いに突合う様上下クランプの先端に設けた事を特徴とする請求項１記載の棚取具。
【考案の詳細な説明】
【技術分野】
【０００１】この考案は、主に海釣において棚取りを行う際に用いるもので、誰にでも簡単にすばやく棚取りが出来る、棚取具に関するものである。
【背景技術】
【０００２】棚取りが重要な釣りとして、ひとつには紀州釣りが有名である。従来は、棚を設定するのに釣針にナマリもしくはダンゴを取付けそれを海中へ投げ込む動作を何度も繰り返し棚設定を行っていた。（目測、又は勘に頼るところが多い）【０００３】
【特許文献１】特許公開２００４−３２９１９３
【考案の開示】
【考案が解決しようとする課題】
【０００４】Ａ．浮き下の設定（棚の設定）が決まるまで釣針にナマリもしくはダンゴを取付け海中へ投げ込む動作を何度となく繰り返すので釣りがすぐ出来ず時間のロスが多い。Ｂ．特に初心者には、棚の設定に時間がかかり、せっかくのジアイを見過ごすことになる。Ｃ．棚の設定に時間がかかると海には、干満の差が有るため余計にてこずってしまい釣果に大きく影響が出てくる。この考案は、これらの欠点を解決するために考案された物である。
【課題を解決するための手段】
【０００５】基端部操作により、先端が互いに釣糸を挟む上下クランプと片方の先端に設けられた釣糸のガイドとなる２本の軸歯と片方の各クランプに備えられた浮力体とでなし釣糸に付けたオモリの沈下状態で軸歯がほぼ水平となる、かつ引き揚げ状態で軸歯は垂直になり釣糸が２本の軸歯に巻き付く状態で浮力体が横向きとなる。尚、軸歯を片方のクランプに設け片方に嵌合する小功を設け軸歯は互いに付合う様に上下クランプの先端に設けた棚取具これにより後付けを可能にし素旱く脱着出来る様にした、よって上記問題は解決される。
【考案の効果】
【０００６】１・請求項１により、釣針にオモリを付けた釣糸に上下のクランプと片方の先端に設けられた２本の軸歯と上下のクランプに備えられた浮力体とで成された棚取具を使う事で、これまで目測や勘に頼っていたものがこの考案によって、正確で素早く棚の測定が出来るので今までに無く快適な釣りが出来るようになる。２．請求項２により、軸歯を片方に設け嵌合する小孔を儲けたことによって取り付けられた本体は釣糸より外れる事がなく、本体が脱落し海水に流され紛失する事を未然に防げる。３．請求項３により、軸歯を互いに付合う様上下クランプの先端に設けることにより後付けが可能になり脱着が速やかに行える。
【考案を実施するための最良の形態】
【０００７】図１は、棚取具の正面図であって棚取具本体１は、中央を軸芯２にて結合された上下クランプ３ａ・４ａとそれぞれに設けられた浮力体７にて構成されている。本体１の上下クランプ３ａ・４ａの基端部３ｂ・４ｂを指先にて点圧することによって先端部３ｃ・４ｃが開閉する。
【実施例】
【０００８】以下、本発明の使用方法を説明する１．釣針、オモリ、浮き止めをあらかじめ釣り糸にセットしておき、棚測定器にセットされた釣り糸を図４の様に取り付ける。この時８の浮き止めより上方へ取り付ける。２．セットされた仕掛けをリール側のベールを起こして任意のポイントへ投下する。この時、糸フケは十分取っておく（図面７（ａ）の状態）必然的にオモリの比重によって仕掛けは棚（海底）へ到達するこの時に、海面から棚（海底）までの深さが決定する。（図面７（ｂ）状態）３．釣り糸が海底へ沈み込まなくなるのを確認後、すぐにリール側のベールを倒しリールの糸を巻き取り仕掛けを引き揚げる。（図面７（ｃ）の状態）尚、仕掛を引き上げる際５・６に挟み込んだ釣り糸を軸にテコの原理が働き、棚取具がおじぎをした状態になり、３・４に完全にロックされ釣り糸は鍵型になり（図面６の状態）測定器が釣り糸よりズレたり外れたりする事なく、固定された位置より棚（海底）までの距離を確保したまま引き揚げられる。４．引き揚げ後、棚取具を仕掛けより取り外す。測定器は後付けであるため簡単に取り外し可能である。棚取具が付いていた挟み込み部分に浮き止めを合わせ棚測定は完了する。
【図面の簡単な説明】
【０００９】
【図１】本考案の棚取具側面図
【図２】同上  断面図
【図３】同上  正面図
【図４】同上  取付け図
【図５】本考案の棚取具使用状態図
【図６】本考案の棚取具使用状態図
【図７】本考案の棚取具使用状態図
【符号の説明】
【００１０】１    棚取具本体２    軸芯３ａ  片方のクランプ４ａ  片方のクランプ３ｂ  基端部４ｂ  基端部３ｃ  先端部４ｃ  先端部５    ２本の軸歯６    ２本の軸歯５ａ  小孔６ｂ  小孔７    浮力体８    浮き止めＳ    釣り糸
【図１】
0003117208.tif 000003
【図２】
0003117208.tif 000004
【図３】
0003117208.tif 000005
【図４】
0003117208.tif 000006
【図５】
0003117208.tif 000007
【図６】
0003117208.tif 000008
【図７】
0003117208.tif 000009
(57)【要約】      （修正有）【課題】ラチェットレンチのスパナ部分を改良することにより、エルボ締め付け作業が簡易に短時間で行える締め付け工具の提供。【解決手段】ラチェットレンチのスパナ部２を３のように空白を設けることにより、オス９０°エルボがスパナ部３の中に納まり、締め付け作業においてオス９０°エルボの角度による、スパナ部の掛け替えが不要となり、作業性が向上し、作業時間の大幅な短縮が可能となる。【選択図】図１
0003117201.tif 000002
【実用新案登録請求の範囲】
【請求項１】
ラチェットレンチのスパナ部をオス９０°エルボが収まるスパナ形状にし、オス９０°エルボを締め付ける際に、スパナをオス９０°エルボに掛けかえる必要がないことを特徴とするオス９０°エルボの締め付け手工具。
【考案の詳細な説明】
【技術分野】
【０００１】本考案は、産業機械等の組立て作業時に、オス９０°エルボの取り付け作業を行う分野に利用する。
【背景技術】
【０００２】従来はオス９０°エルボを取り付ける際には、スパナ等の手工具でエルボの回転に合わせて都度スパナ等をエルボに掛けかえて締め込み作業を行っていた。
【考案の開示】
【考案が解決しようとする課題】
【０００３】従来の技術では、スパナ等を都度エルボの角度に合わせて掛けかえて締め付け作業を行っていたため、エルボを締めこむに要する時間がかなりかかっていて作業効率が悪くなっていた。従って、スパナの機能とラチェットレンチの機能とを併せ持たせることによりエルボに一度掛けてしまえばエルボの角度に関係なく締め込みが可能となり、前述の課題を解決しようとするものである。
【課題を解決するための手段】
【０００４】本考案は、エルボの形状に合わせたスパナをラチェットレンチに取り付け、エルボの角度に合わせてスパナを掛けかえる必要がなくなったことにより問題点を解決している。
【考案の効果】
【０００５】上記の様に、本考案のオス９０°エルボの手工具はエルボを機械に確実に取り付けできるのは勿論のこと、取付け時間も大幅に短縮でき作業効率が向上する。
【考案を実施するための最良の形態】
【０００６】ラチェットレンチのスパナ部分にエルボを把持できるように内部が四角状の円筒形の１角を取り除いたスパナに改良したものを取り付け、改良したスパナがエルボを把持し、エルボの締め付け作業が、エルボの角度により都度掛け直す必要がなくなる。
【実施例】エルボを手で相手方へ取り付けた後、そのエルボに改良を施したラチェットレンチのスパナ部を合わせてラチェットレンチを操作することによりエルボを相手方へ締め込んで行く。
【図面の簡単な説明】
【０００７】
【図１】本考案のオス９０°エルボの締め付け手工具の正面図である。
【符号の説明】
【０００８】  １  ラチェットレンチ本体
２  ボックススパナ
３  オス９０°エルボ用スパナ
【図１】
0003117201.tif 000003
(57)【要約】      （修正有）【課題】就寝用枕を横向きに使用した際、顔の頬部分が直接枕表面に接し、そのため頭部重量で頬が永年繰り返し枕に圧迫されることによって、顔面のしわ、特に鼻唇溝や口周りのしわが形成されるのを防止する。【解決手段】枕表面部分１と、切り込み部分２とで構成されており、横向きになった時に、顔の頬部分が枕に接する部分２を切り込んだ形状にすることで、頭部の重量で頬が繰り返し枕に圧迫されるのを解消、もしくは軽減することにより、しわが形成されるのを防止する。【選択図】図１
0003117224.tif 000002
【実用新案登録請求の範囲】
【請求項１】
使用時、横向きになったときに、顔の頬の部分が直接枕に接しないよう、切り込みまたはカットされた形状を特徴とするしわ防止枕。
【考案の詳細な説明】
【技術分野】
【０００１】  本考案は、就寝用枕に関する。
【背景技術】
【０００２】  従来から安眠健康枕として枕の形や高さ、材料、詰め物などに工夫を加えたものが多く開示されている。その例として登録実用新案公報の登録番号が登録実用新案第３０４２１９２号背あて付き健康枕などある。しかし従来の枕では、使用時横向きになったとき、顔の頬部分が枕に直接接していた。
【考案の開示】
【考案が解決しようとする課題】
【０００３】  しかし、これでは横向きになることで、顔の頬部分が自分の頭部の重量で枕に圧迫され、これが永年にわたり繰り返されることによって、顔のしわ、特に鼻唇溝や口周りのしわの形成の原因のひとつとなっていた。肌に弾力がある若いうちは良いが、年齢を重ね弾力性が失われた肌にとって圧迫による溝は、それが毎日就寝のたびに繰り返されることによって、やがては元に戻ることができなくなり、しわとなってしまう。
【課題を解決するための手段】
【０００４】  本考案は枕表面部分と、切り込み部分とで構成されており、横向きになった時に、顔の頬部分が枕に接する部分を切り込んだ形状にすることで、頭部の重量で頬が繰り返し枕に圧迫されるのを解消、もしくは軽減することにより問題点を解決している。
【考案の効果】
【０００５】  上述のように、本考案のしわ防止枕は、従来なかった形状により、枕表面部分が睡眠の快適さを確保しつつ、切り込み部分がしわ形成の原因となる顔の頬部分への圧迫を解消、もしくは軽減させることで、顔のしわ、特に鼻唇溝や口周りのしわが形成されるのを防ぐことができる。本考案は上述の如き構成からなるものであるから、従来の枕と同様の睡眠の快適さを備えつつ、独特の形状から正しい実施例以外では不安定であるがため、睡眠中であっても無意識に自然と効果のある正しい実施方法をとるようになる。以上の効果は、切り込み部分を完全にカットしても同様の効果がある。
【考案を実施するための最良の形態】
【０００６】  本考案に係わる枕は、使用時横向きになったときに、顔の頬部分が直接枕に接しないように、枕の左右に切り込みを備えている。その形は直線でも丸みを帯びていても良い。枕の高さは特に問わないが、横向きになった時に顔の頬部分がどこにも接していないのが望ましい。
【実施例】
【０００７】  以下、添付図面に従って一実施例を説明する。仰向けに寝る場合は、１の枕表面の縦軸部分で首から後頭部を支え従来の枕と同様に使用する。横向きに寝る場合は、１の枕表面の縦軸部分で首から即頭部にかけて支え、同時に１の枕表面の横軸部分で額の側面部を支えるように使用する。こうすることで従来と同様横向きの姿勢を楽に維持でき、快適さも確保できる。同時に頬にあたる部分は切り込んでいるために、直接頬を圧迫することはない。本考案の一実施例は、切り込み部分を完全にカットした形状でも同様に実施する。
【図面の簡単な説明】
【０００８】
【図１】本考案に係る左右一部を切り込んだ形状のしわ防止枕の斜視図である。
【図２】本考案に係る左右一部を切り込んだ形状のしわ防止枕をＡ−Ａで切断した断面図である。
【図３】本考案に係るしわ防止枕の切り込み部分を完全にカットした形状の斜視図である。
【図４】本考案に係る左右一部を切り込んだ形状のしわ防止枕を、仰向けに使用した時の図である。
【図５】本考案に係る左右一部を切り込んだ形状のしわ防止枕を、横向きに寝て正しく使用した時のしわ防止枕と人体頭部との位置関係を示した図である。
【符号の説明】
【０００９】  １  枕の表面部分
２  切り込み部分
３  鼻唇溝のしわ
【図１】
0003117224.tif 000003
【図２】
0003117224.tif 000004
【図３】
0003117224.tif 000005
【図４】
0003117224.tif 000006
【図５】
0003117224.tif 000007
(57)【要約】      （修正有）【課題】ボトルを上下に分け２種類の飲み物を１本で購入する事、中身の容量に応じてボトルの体積を低減できる事、上下に分ける事により中身の容量が比較的、飲みきりサイズになっており直接口をつけ飲むボトルでは保管時間を極力短時間にする事により雑菌の増殖の防止ができる事。【解決手段】脱着式ボトルは上部ボトル２の下側に雌ねじ３を設け、下部ボトル４の上側にも雄ねじ５を設ける事により上下ペットボトルの脱着が可能になる。【選択図】図２
0003117225.tif 000002
【実用新案登録請求の範囲】
【請求項１】
２つのボトルを上下に組み合わせ、上部のボトルの下側に雌ねじ、下部のボトルの上側には雄ねじを設け脱着できる事を特徴とした脱着式ボトル。
【考案の詳細な説明】
【技術分野】
【０００１】  本考案は、上下に脱着できる様にした、ボトルに関したものである。
【背景技術】
【０００２】  食事時のお茶、食後の缶コーヒー等を２本購入していた。【０００３】  従来のペットボトル５００ｍｍＬの容器では、半分飲んでも携帯時の体積は変わらない。
【考案の開示】
【考案が解決しようとする課題】
【０００４】  食事時のお茶、コーヒー等の２本の購入は経済的負担も大きく、又従来のペットボトル５００ｍｍＬの容器では、全部飲まなければペットボトルの体積分を常に持ち歩かなければならなくスペース的にも負担とも考えられる。従ってペットボトルを上下に分けることにより、２種類の飲み物を１本で購入できる。さらに上下どちらかを飲めば処分でき、ペットボトルの体積も半分になり前述の欠点を解決しようとするものである。
【課題を解決するための手段】
【０００５】  本考案は、２つのボトルを上下に組み合わせ、その個々のボトルに雄ねじ、雌ねじを設け脱着可能とすることにより問題点を解決している。
【考案の効果】
【０００６】  上述の様に、本考案の脱着式ボトルは上のボトルにお茶、下のボトルにコーヒー等、２種類の飲み物を１本で購入でき消費者に対し経済的に負担を低減できる、しかも上下を分けることにより比較的飲みきりサイズになっており、ボトルに直接口をつけ飲む為、保管時間も極力短時間になり雑菌の増殖を防ぐことになる。
【考案の実施するための最良の形態】
【０００７】  上部のボトルの下側に雌ねじを設け、下部のボトルの上側にも雄ねじを設ける事により上下ボトルの脱着が可能となる。
【実施例】
【０００８】  以下、添付図面に従って実施例を説明する。１はボトルのキャップ、２は上部ボトル、３はボトルの下側に設けた雌ねじ、４は下部ボトル、５は下部ボトルに設けた雄ねじ、４の雌ねじ部と５の雄ねじ部を組み合わせることにより上下ボトルを脱着が可能となる。尚、２の上部ボトルと４の下部ボトルの素材はアルミニウム製又はポリエチレンテレフタレート製等の適宜素材の物。
【図面の簡単な説明】
【０００９】
【図１】  本考案の脱着式ボトルの一実施例を示す合体断面図である。
【図２】  本考案の脱着式ボトルの一実施例を示す分離断面図である。
【符号の説明】
【００１０】１    ボトルのキャップ
２    上部ボトル
３    雌ねじ
４    下部ボトル
５    雄ねじ
【図１】
0003117225.tif 000003
【図２】
0003117225.tif 000004
(57)【要約】      （修正有）【課題】座具にカバーを装着する際、熟練した技術や多くの手間を必要とせず、容易に、且つ正確に装着または取外し作業を行うことができる座具用カバーを提供する。【解決手段】座具用カバー１は、座具の表面に被覆されるカバーにおいて、かかるカバーの周縁に、座具底部に装着する係止片４を設置したことを特徴とする。また前記係止片に、座具の突部に挿着される開口部５を穿孔した。【選択図】図１
0003117226.tif 000002
【実用新案登録請求の範囲】
【請求項１】
座具の表面に被覆されるカバーにおいて、かかるカバーの周縁に、座具底部に装着する係止片を設置したことを特徴とする座具用カバー。
【請求項２】
前記係止片に、座具の突部に挿着される開口部を穿孔した請求項１記載の座具用カバー。
【考案の詳細な説明】
【技術分野】
【０００１】  本考案は、椅子や座椅子、また車両用シート等に被覆されるカバーにおいて、特に、カバーの装着を容易に、且つ正確に実施することができる座具用カバーに関する。
【背景技術】
【０００２】  従来、汎用の椅子や車両用シートの表面には、中材を保護するカバーが被覆されている。一般的なカバーは適度な強度を備え、通気性に優れた織布、もしくは不織布にて形成されている。また、前記カバーを椅子の座具に装着する際は、座具の表面にカバーを配設させ、カバーの周縁を座具の底部に固定していた。
【考案の開示】
【考案が解決しようとする課題】
【０００３】  通常、カバーを座具に装着するには、カバー周縁の一箇所を座具の底部に固定し、他の縁部を均一に引っ張りながら固定していた。しかしながら、カバーを均一に貼り付けする作業は熟練した技術と多くの手間が必要とされる。そのため、経験の少ない作業者がカバーの装着を行うと、カバー表面に歪みやシワが生じて外観的に見栄えが劣化するという問題が起きた。また、従来の張付け方法においては、カバー周縁をタッカーにて打ち付けていたため、分別廃棄時における取外しが非常に困難になるという欠点もあった。【０００４】  そこで本考案は、上記した従来技術の問題点を解消し、座具にカバーを装着する際、熟練した技術や多くの手間を必要とせず、容易に、且つ正確に装着または取外し作業を行うことができる座具用カバーを提供することにある。
【課題を解決するための手段】
【０００５】  上記課題を解決するために、本考案の座具用カバーは、座具の表面に被覆されるカバーにおいて、かかるカバーの周縁に、座具底部に装着する係止片を設置したことを特徴とする。また前記係止片に、座具の突部に挿着される開口部を穿孔した。
【考案の効果】
【０００６】  カバーの周縁に、座具底部に装着する係止片を設置したことで、高度の技術を必要とせずカバーを均一な状態で張れることができ、カバーに歪みやシワが生じることがない。また係止片に、座具の突部に挿着される開口部を穿孔したことで、係止片を座具底部へ装着することが非常に容易になり作業性が向上する。
【考案を実施するための最良の手段】
【０００７】  以下、本考案における座具用カバーの実施の形態を図面に基づいて説明する。
本考案の座具用カバー１は、汎用の椅子や座椅子、また車両用シート等に被覆されるもので、特に、座具へのカバーの装着を容易に、且つ正確に実施することができることを特徴とする。また、前記座具用カバー１は、ベッドや各種の寝具、また家具等にも幅広く応用できる。
【０００８】  図１に示す座具用カバー１は、カバー本体２と、かかるカバー本体２の周縁３に装着された係止片４とで形成されている。前記カバー本体２は、織布、不織布、レザー、合皮等の適度な強度を備えた素材からなる。
【０００９】  前記係止片４は、肉厚状の樹脂シートからなり、カバー本体２の周縁３に縫着された状態で装着されている。かかる係止片４をカバー本体２の周縁３に装着したことにより、カバー装着時、カバー本体２を均一な状態で張ることができ、表面に歪みやシワが生じることがない。また前記係止片４は、座具１０の底面に、接着剤またはタッカー等で固定される。
【００１０】  また他の好適例として、前記係止片４に、座具１０の突部１１に挿着される開口部５を穿孔した。係止片４に開口部５を穿孔したことで、図３に示すように、係止片４を座具１１の底面１２にワンタッチで装着させることができる。なお、係止片４の形状や数量、穿孔される開口部５の数や形、また突部１１の形状や数量等は特に限定されたものではない。
【００１１】  次に、本考案の座具用カバーの装着方法を図２及び図３に基づいて説明する。
先ず、図２に示すように、座具用カバー１を座具１０の表面に配設し、一片の係止片４を座具１０の底面に移行させ、係止片４の開口部５を座具１０の底部１２に設けられている突部１１に挿着させる。次に、図３に示すように、他の係止片４も同様に突部１１に挿着させる。この際、平面状の係止片４によりカバー本体２を均一な状態で張ることができるため、表面に歪みやシワが生じることがない。
【００１２】  さらに、前記座具用カバーの装着方法の詳細を図４の（ａ）（ｂ）（ｃ）に基づいて説明する。
（ａ）においては、座具１０の表面に座具用カバー１を配設した状態を示す。この状態で（ｂ）に示すように、係止片４を座具１０の底部１２に引き込む。この際、カバー本体２を均一な状態で張るために、強い力で引き込むことが好ましい。次に（ｃ）に示すように、係止片４の開口部５を座具１０の突部１１に挿着させる。また、座具１０の上部には緩衝具１３が具備されているので、座具用カバー１の密着状態が向上する。さらに係止片４とカバー本体２とは、カバー本体２の周縁３を内側に折り畳んだ状態で縫着されているので、座具１０にカバー本体２を被覆した際、縫目が表面に表れることがなく外観面でも優れる。なお、座具１０を廃棄する際は、係止片４を突部１１から抜き出して分別処理する。
【図面の簡単な説明】
【００１３】
【図１】本考案による座具用カバー全体図である。
【図２】前記座具用カバーを座具の上に配設した状態である。
【図３】係止片を座具の底部に装着させる状態を示す。
【図４】（ａ）（ｂ）（ｃ）は座具用カバーの装着方法の詳細を示す断面図である。
【符号の説明】
【００１４】１    座具用カバー
２    カバー本体
３    周縁
４    係止片
５    開口部
１０  座具
１１  突部
１２  底部
１３  緩衝具
【図１】
0003117226.tif 000003
【図２】
0003117226.tif 000004
【図３】
0003117226.tif 000005
【図４】
0003117226.tif 000006
(57)【要約】      （修正有）【課題】昨今のクールビズやウォームビズに見られるノーネクタイスタイルの締りのない襟元の態様が，本考案部位にカフス釦を装着する事により襟元は整然となり，そのデザインは装着する者の嗜好性も刺激し，従来の袖カフス釦に比べて必要以上な取り外しの繰り返しを要せず，これを意識しないで，袖を捲り上げる様な活動的な仕事にも，そのまま対応しうるようにする。【解決手段】シャツ襟元（１）の拡がりの裏表重なり合う部分に，カフス釦の通る切り口を直線上に設ける。【選択図】図１
0003117229.tif 000002
【実用新案登録請求の範囲】
【請求項１】
襟カフス釦を装着するため，左右の襟元に，夫々一直線上に之を通す切り口を設けたものである。
【考案の詳細な説明】
【考案の詳細な説明】
【技術分野】
【０００１】  昨今のこれらのタイプに見られるノーネクタイスタイルの締りのない襟元の態様が，本考案部位にカフス釦を装着する事により襟元は整然となり，そのデザインは装着する者の嗜好性も刺激し，従来の袖カフス釦に比べて必要以上な取り外しの繰り返しを要せず，これを意識しないで，袖を捲り上げる様な活動的な仕事にも，そのまま対応しうる。また，カフス釦により襟元が固定する事により，襟先の態勢を乱すことなく首背面部の襟を伸ばして，その部位の紫外線防御や首の防寒効果をも手軽に期待できる。（写真  ２）
【背景技術】
【０００２】  Ｃｏｏｌ  ｂｉｚ  及びＷａｒｍ  ｂｉｚなるシャツスタイルは，今期はじめて出現したもので従来の技術を導入比較する事はできない。が，従来の一般的なワイシャツにても袖部分に装着するカフス類は，▲１▼袖を捲り上げ時に取り外さなければならぬ煩雑さがある。▲２▼机上に腕を置いて作業する場合，カフス釦が付近の物に接触し易く，双方傷がついたり，袖が汚れやすく，その保全に作業から離れた意識が向けられる。▲３▼従来の襟先を固定する多様な釦や釦穴が必要最小限に抑えられてスッキリする。▲４▼お洒落具として着用する者のアイデンティティの表意を考えた時，袖付近は首部分に比べて動きの活発な部位であり，一般的な作業上では，その実用的な装着目的に消極性が否めない。
【考案が解決しようとする課題】
【０００３】本考案は，前項の欠点を解決する為になされたものである。
【課題を解決するための手段】
【０００４】シャツ襟元（１）の拡がりの裏表重なり合う部分に，カフス釦の通る切り口を直線上に設ける。
本考案は以上の構成よりなるシャツ襟に設けたカフス釦口（切り口）である。
【考案の実態の形態】
【０００５】以下，本考案の実態の形態を説明する。
シャツの左右の襟元（１）が拡がり，裏表重なり合う夫々の部分にあって，上着の襟部分と重ならない所に，カフス釦を通す切り口を一直線上に設ける。都合，左右の襟元表裏で，四箇所に切り口が設けられる。本考案は以上の構成よりなっている。
【考案の効果】
【０００６】ノーネクタイ時の締りのない襟の態様が，本考案部位にカフス釦を装着する事により襟元は整然となり，そのデザインは装着する者の嗜好性を刺激し，必要以上に装着や脱着の繰り返しを要せず，様々な状況下に活動的な仕事に対応しうる。また，カフス釦により襟先が固定する事により，それを乱すことなく首背面部の襟を伸ばして，紫外線防御や手軽に首の防寒効果も期待できる。
【図面の簡単な説明】
【図１】 
【符号の説明】
襟元  １
カフス釦  表面２
カフス釦  裏側３
カフス口  外側（請求項）４
カフス口  内側（請求項）５
【図１】
0003117229.tif 000003
(57)【要約】【課題】仏壇における御本尊掛け軸を本来あるべき状態に戻すように、有事の時の持ち出しや長期の保管が容易にできるようにする。【解決手段】少なくとも前面が透明で上方が解放された略衝立状箱状体１の背面上方中央部において、下向きに解放された軸受け体２Ａを設けるとともに、その略衝立状箱状体１の背面下方両横部又は側面下部において、別の一対の下向きに解放された軸受け体２Ｂを設けて、本考案の仏壇における御本尊掛け軸収納箱とする。また略衝立状箱状体１を上下反転してその底部が密に収まる溝を有する台座５を略衝立状箱状体１とセットにする。【選択図】図１
0003117230.tif 000002
【実用新案登録請求の範囲】
【請求項１】
少なくとも前面が透明で上方が解放された略衝立状箱状体の背面上方中央部において、下向きに解放された軸受け体を設けるとともに、その略衝立状箱状体の背面下方両横部又は側面下部において、別の一対の下向きに解放された軸受け体を設けたことを特徴とする、仏壇における御本尊掛け軸収納箱。
【請求項２】
請求項１記載の略衝立状箱状体を上下反転してその底部が密に収まる溝を有する台座を該略衝立状箱状体とセットにした、仏壇における御本尊掛け軸収納箱。
【考案の詳細な説明】
【技術分野】
【０００１】この考案は、仏壇における御本尊掛け軸の収納具に関する。
【背景技術】
【０００２】一般に掛け軸は、紙の上下を円筒状の軸体で固定してその両端に紐を取り付け、これを吊下して装着している。仏壇内部における御本尊掛け軸についても同様に行なわれているのが現状である。
【考案の開示】
【考案が解決しようとする課題】
【０００３】このような従来の掛け軸の装着の方法では、年月の経過や季節等により温度や湿度の変化が掛け軸を劣化させ、長期の保存に支障をきたしていた。本来、お仏壇における掛け軸は御本尊と呼ばれその外郭であるお仏壇が世代の交代においてまた生活の変化において変わろうとも御本尊掛け軸は代々に渡り受け継がれるものであり、にもかかわらず今まで習慣的恒例的に非常に簡素に扱われてきた。このような現状から仏教上の原点に帰り本来あるべき状態に戻す課題がある。また有事の時における持ち出しや長期保管対策にも考慮する必要がある。本考案はかかる現状を改善することを課題とする。
【課題を解決するための手段】
【０００４】少なくとも前面が透明で上方が解放された略衝立状箱状体１の背面上方中央部において、下向きに解放された軸受け体２Ａを設けるとともに、その略衝立状箱状体１の背面下方両横部又は側面下部において、別の一対の下向きに解放された軸受け体２Ｂを設けて、本考案の仏壇における御本尊掛け軸収納箱とする。【０００５】軸受け体２Ａ，２Ｂは、いずれも掛け軸３における軸部を受け止めるに足る用具ないし部品をいう。従って自ずから図示したような半円状に湾曲した受け止め具の形を呈することになるが、その状態で逸脱しにくいように材質を弾性体にして半円以上に囲んだ形態にしてもよい。【０００６】その軸受け体２Ａ，２Ｂは、いずれも図１のように開口部が通常とは逆の下向きになっているが、これは掛け軸３の軸の両端に取り付けられた吊紐４で吊下する際に、逆に掛け軸３の軸が軸受け体２Ａを介して略衝立状箱状体１を受け止めるかたちにすると同時に、下方の軸受け体２Ｂも掛け軸３の軸を上方から押さえて掛け軸３を広げた状態に保つようにするためである。【０００７】なお、略衝立状箱状体１を上下反転してその底部が密に収まる溝を有する台座５を略衝立状箱状体１とセットにすることにより、吊紐４を用いず、図２のように上記略衝立状箱状体１が逆さに台座５上で垂立した形の据置型のものにすることもできる。
【考案の効果】
【０００８】本考案はこのような構成であるから、最も第一義的に考慮すべき御本尊掛け軸の長期の保管を容易にする要因のひとつである有事の時における持ち出しとその保管を速やかに出来るようにし、尚且つそのままでも祭事が可能であるなどの効果がある。
【考案を実施するための最良の形態】
【０００９】略衝立状箱状体１の外径の寸法の代表例は、およそ縦３０ｃｍ、横２０ｃｍ、奥行３ｃｍであり、材質は特に限定しないが、側面や底面は木板、前面と背面は透明プラスチック板で形成し、前面板は上方にスライドし外せるようにして、掛け軸を出し入れし易くする。軸受け体２Ａ，２Ｂの材質も金属やプラスチックでよいが、その内周を軸の外周に近似させた半円形状とし、必要に応じ弾性により開口部を手で広げて軸が収まる程度にする。また台座５の代表的形状は、図にあるような中央に幅約３ｃｍ、深さ約３ｃｍの溝のある略レール状体とする。但し実際には溝の両端を堰止めする立ち上がり部を略衝立状箱状体１の横幅に合わせて設けるものとする。なお本考案はかかる例に限定されないことは言うまでもない。
【産業上の利用可能性】
【００１０】このような本考案の御本尊掛け軸収納箱は、仏教上の原点に帰り本来あるべき状態に戻すことから必要とされており、実際の製作も容易であるから、産業上の利用可能性は十分であるといえる。
【図面の簡単な説明】
【００１１】
【図１】本考案一例を吊下状に設置した状態の見取図
【図２】本考案一例を据置状に設置した状態の見取図
【符号の説明】
【００１２】１……略衝立状箱状体
２Ａ，２Ｂ……軸受け体
３……掛け軸
４……吊紐
５……台座
【図１】
0003117230.tif 000003
【図２】
0003117230.tif 000004
(57)【要約】      （修正有）【課題】外部への逸脱・落下がほとんどなくなり、剪定屑・切粉を収納でき、しかも、水平方向はもとより、垂直の生垣等も、開口部を向き合わせる箱の受で収納できる剪定鋏用切粉受けの提供。【解決手段】受を鋏の上の刃上部と、下の刃から上に横向きに、開口部を刃に向き合わせた箱型の切粉受にした。【選択図】図１
0003117222.tif 000002
【実用新案登録請求の範囲】
【請求項１】
上刃の上面に、刃の内側に向けて開口する箱を取付け、下刃の裏面に取付けられ刃の上面に突出し刃の内側に開口する箱を配置して成る剪定鋏。
【考案の詳細な説明】
【技術分野】
【０００１】  本考案は庭園における生垣や庭木・植木を刈り込み、剪定に使用する植木鋏や剪定鋏の、切粉受に関するものである。
【背景技術】
【０００２】  現状では、水平方向にのみ作用する切粉受はあるが、垂直及び斜めに作用するものが知られていない。
以前は、剪定する植木・庭木・生垣等の剪定屑・切粉の屑が、植木・庭木・生垣等のあいだに落ちてしまうのと、地上に落下した後の掃除がめんどうなことであり、ブルーシート等を敷き、または、手で取り込みながらの方法であった。
本考案により、剪定屑・切粉が簡単に集められ、受に入ったものを、その都度、ごみ袋等に収納でき、大変便利になった。
【考案の開示】
【考案が解決しようとする課題】
【０００３】  剪定した時に出る、剪定屑・切粉を集めることが大変であり、掃除を簡単にした。
【問題を解決するための手段】
【０００４】  受を上刃の上と、下刃の裏面に取付けられ、刃の上面に突出し刃の内側に開口する箱を取り付けた事により解決された。
【考案の効果】
【０００５】  外部への逸脱・落下がほとんどなくなり、剪定屑・切粉を収納できる。
水平方向はもとより、垂直の生垣等も、開口部を向き合わせる箱の受で収納できる。
【考案のを実施するための最良の形態】
【０００６】  以下図面に示す実施例に従って、本考案の実施の形態について説明する。
剪定鋏１．の上の刃３．の上に、上の受５．を、横向きに取付ける。
下の刃４．の下から、下の受６．を、上に横向きに取付ける。
上の受５．と下の受６．は、開口部を向き合うよう取り付ける。
取付ける方法は、鋏を作用させる支点ボルト・ナット２．を利用すると共に、上の刃３．には、上からビス７．で取付ける。
下の刃４．には下からビス７．で取付ける。
これらの材質は、強度はあまり必要としない為、アルミニュ−ムか、プラスチックにて成型したものが軽くて便利である。
鋏の上部の受と、下部の受との接合は、図のごとくビス止めが望ましいが、ネジ、磁石、接着剤、リベット等多くの方法が考えられるが何れを利用しても良い。
【図面の簡単な説明】
【０００７】
【図１】平面図
【図２】前面図
【符号の説明】
【０００８】１．鋏
２．支点ボルト・ナット
３．上の刃
４．下の刃
５．上の受
６．下の受
７．ビス
【図１】
0003117222.tif 000003
【図２】
0003117222.tif 000004
(57)【要約】      （修正有）【課題】就寝時に火災が発生した場合に、枕で防煙することができる防災頭巾用枕を提供する。【解決手段】防災頭巾用枕１の内側に透明な半袋状のビニールシート２を、内側に折り畳んだ状態で取り付ける。【選択図】図１
0003117227.tif 000002
【実用新案登録請求の範囲】
【請求項１】
防災頭巾兼用枕の内側に透明な半袋状のシートを取り付けたことを特徴とする防煙機能付き防災頭巾兼用枕
【考案の詳細な説明】
【技術分野】
【０００１】    本考案は、防災頭巾兼用枕の端部に透明な半袋状のシートを取り付けた、防煙機能付き防災頭巾兼用枕に関するものである。
【背景技術】
【０００２】    従来、透明な半袋状のシートを取り付けた防煙機能付き防災頭巾兼用枕はなかった。
【考案の開示】
【考案が解決しようとする課題】
【０００３】    従来、緊急時に落下物から頭を保護する防災頭巾兼用枕はあった。【０００４】    しかしながら、従来の防災頭巾兼用枕は、地震等の場合に頭への落下物の衝撃を和らげる事と防炎を目的とするものであった。ところで、地震か起きた場合、それに伴って火災が起きてしまう。この場合、家屋等の倒壊による死亡よりも、火災による死亡者の方が多い。これは、火災時の煙を吸い込む事による二酸化炭素中毒が原因である。従って、従来のほとんどの防災頭巾兼用枕では、煙を吸い込んでしまうという欠点が生じていた。また、防煙のものがあったとしても、特開平１１−２９９６１３（防災用防煙機能付き携帯枕）の如く、その構造が複雑な為、寝心地が悪く、またコスト高となる欠点があった。【０００５】    本考案は、以上のような欠点を失くすためになされたものである。
【課題を解決するための手段】
【０００６】    透明な半袋状のシート２の開口された側の端部を防炎頭巾兼用枕１の半袋状の開口された内側端部に接着し、両者でもって袋状に形成する。枕本体の下端部の左右には雄と雌の面ファスナー４を設ける。この状態でシート２を、防災頭巾兼用枕１の内側に折り畳んで収納する。そして防炎頭巾兼用枕１の本体の下端部に設けた面ファスナー４で接合する。【０００７】    本考案は、以上のような構成より成る、防煙機能付き防災頭巾兼用枕である。【０００８】  本考案の使用方法は、通常時は透明な半袋状のシート２（以下、当該シートと称す。）を防災頭巾兼用枕１の内側に折り畳んだ状態で収納し、通常の枕として使用する。非常時は、▲１▼防災頭巾兼用枕１（以下、当該枕と称す。）の面ファスナー４で接着されている端の部分の外側を手でつかんで、左右に広げる。そうすると、当該枕の内部に空間部５ができる。そこで、▲２▼空間部５に手を入れ、当該シートを前面に押し出す。そうすると、当該シートと半袋状の当該枕本体により、大きな袋状体が形成される。その状態で、▲３▼頭部挿入部６に頭を挿入、即ち当該枕を頭巾（以下、当該頭巾と称す。）として被る。▲４▼当該シートの下端につけた紐３を当該頭巾の後ろに回し、顎の下の部分から煙が入ってこないように縛る。尚、図面においては紐で説明したが、紐の代わりに面ファスナーとすることも可能である。後は、▲５▼空気残留部７の空気を呼吸しながら移動する事で、煙の中から脱出する。ところで、煙の中から脱出する場合、通常、個人の住宅等においては、数分間もかからない。この当該シートと当該枕とで作られた袋内の残留空気部分７の空気で、数分間以上十分に呼吸ができる。更に長く呼吸をする為には、当該シートの部分を大きくすれば良い。尚、この当該シー及び当該枕）は、難燃性の材質で構成されていることが望ましい。
【考案の効果】
【０００９】    本考案の当該シートは、枕と一体となって袋が構成されているので、ビニール袋が必要となった時でも探す手間が省ける。また、当該シートを、枕の内側に折り畳んだ状態で収納してあるので、就寝時に違和感は生じない。
【図面の簡単な説明】
【図１】    透明シートを押し出した状態の斜視図である
【図２】    透明シートを折り畳んだ状態の斜視図である
【図３】    防災頭巾兼用枕を左右に開いて下から見た平面図である
【図４】    防災頭巾兼用枕の内面の透明シートを押し出した状態の平面図である
【符号の説明】
１  防災頭巾兼用枕の本体
２  透明シート
３  紐
４  面ファスナー
５  空間部
６  頭部挿入部
７  残留空気部
【図１】
0003117227.tif 000003
【図２】
0003117227.tif 000004
【図３】
0003117227.tif 000005
【図４】
0003117227.tif 000006
(57)【要約】      （修正有）【課題】軽量化と耐久性を兼ね備え、施工容易性の向上と、建物にかかる重量の軽減を図れる乾式タイル用下地材を提供する。【解決手段】下地材をプラスチック系（塩ビ樹脂など）で形成することにより、軽量化と耐久性を実現できるとともに、プラスチック系下地材５の凸状部分３に接着剤６を塗り、タイル２と組み合わせることで耐火性も優れるものとなる。【選択図】図２
0003117221.tif 000002
【実用新案登録請求の範囲】
【請求項１】
軽量で耐久性が高く、更にタイルと組み合わせることにより耐火性も優れる、プラスチック系（塩ビ樹脂など）で形成した、乾式タイル用下地材である。
【考案の詳細な説明】
【技術分野】
【０００１】
本考案は、乾式タイル工事全体の軽量化と、耐久性を兼ね備える事を目的とした乾式タイル用下地材に関する。
【背景技術】
【０００２】
建築物の外壁等へのタイルの施工は、外壁のモルタル面に直接貼り付ける湿式工法と、予め製作した専用の下地材にタイルを接着剤と合わせ引っ掛けて貼る乾式工法とによって行われている。
【０００３】
これらの方法の中で乾式のタイル施工では、タイルを引っ掛けるための凸状を水平方向に形成した窯業系下地材が利用される。図１は従来から利用されている下地材とタイルの典型的な一例を示す縦断面図である。
【０００４】
図示のように、下地材１５の表面側には一定のピッチをおいて凸状１６を設ける。これらの凸状１６は水平方向のほぼ全長に形成したものである。そして、タイル１４の裏面をこれらの凸状１６に引っ掛かる形状とし、タイル１４を下地材１５に引っ掛けて接着剤によって固定する方法が施工の基本である。
【特許文献１】特開平０２−２４０３６３号公報
【特許文献２】特開平０３−１９１１６６号公報
【考案の開示】
【考案が解決しようとする課題】
【０００５】
ところで、この乾式工法は窯業系下地材にタイルを引っ掛けることで、重量が重くなり建物に負担がかかることや、窯業系下地材が腐食する事は以前からの課題であった。
【０００６】
そこで本考案は、乾式タイル工事全体の軽量化と耐久性を兼ね備えることで、施工容易性の向上と、建物にかかる重量の軽減を目的とした乾式タイル用下地材である。
【課題を解決するための手段】
【０００７】
上記の目的を達成するために、本発明は乾式タイル用下地材をプラスチック系（塩ビ樹脂など）で形成する。
【考案の効果】
【０００８】
本考案では、従来の乾式工法に対しての腐食や重量が重くなる原因は、窯業系下地材にあると考えた。そこで下地材をプラスチック系（塩ビ樹脂など）で形成することにより、軽量化と耐久性を実現できるとともに、タイルと組み合わせることでプラスチック系（塩ビ樹脂）の耐火性も優れることとなる。
【考案を実施するための最良の形態】
【０００９】
以下、本考案の実施の形態を図１〜図３に基づいて説明する。
【００１０】
図２においては、本考案に関する乾式工法の最も重要な要因である下地材５の縦断面であり、下地材５をプラスチック系（塩ビ樹脂など）で形成する。また、凸状部分を加工し易いように凸状３の形状とし、タイル２を引っ掛けて接着剤６によって固定する。
【００１１】
図３においては、図２の下地材５を用いた時の施工例である。
【００１２】
図１においては、従来から利用されている窯業系下地材である。
【図面の簡単な説明】
【００１３】
【図１】従来の乾式タイル用下地材の縦断面図
【図２】本考案に関する乾式タイル用下地材の縦断面図
【図３】本考案に関する乾式タイル用下地材の施工例図
【符号の説明】
【００１４】
２タイル                  ７釘又はビス            １４従来のタイル
３凸状部分                ８柱                    １５窯業系下地材
５プラスチック系下地材    ９胴縁                  １６従来の凸状部分
６接着剤                  １０防水シート
【図１】
0003117221.tif 000003
【図２】
0003117221.tif 000004
【図３】
0003117221.tif 000005
【手続補正書】
【提出日】平成17年10月12日(2005.10.12)
【手続補正１】
【補正対象書類名】実用新案登録請求の範囲
【補正対象項目名】全文
【補正方法】変更
【補正の内容】
【実用新案登録請求の範囲】
【請求項１】
下地材の表面側に一定のピッチをおいて凸状を設け、これらの凸状は水平方向のほぼ全長に形成したものであって、タイルの裏面をこれらの凸状に引っ掛かる形状とし、タイルを下地材に引っ掛けて接着剤によって固定できるプラスチック系（塩ビ樹脂など）で形成したことを特徴とする乾式タイル用下地材
(57)【要約】      （修正有） 【課題】リングにシェルが嵌められていることを観客に悟られにくい手品用リングを提供する。【解決手段】リング１の断面を六角形とし、このリング１の片面いずれか一方に脱着可能なシェル２の裏面はリング１片面にそった形状の陥没を持ち、表面はリング１の片面と同じ形状を持ち、リング１にシェル２を装着した時に、リング内外周の稜線３とシェルの端面４が接触することを特徴とする。【選択図】図２
0003117259.tif 000002
【実用新案登録請求の範囲】
【請求項１】
六角形の断面を持つリング1と、このリングの片面いずれか一方に脱着可能なように裏面にリングの片面にそった形状の陥没を持ち、表面にリングの片面と同じ形状を持つリング状のシェル2からなる手品道具で、リング１にシェル２を嵌めた時、リング内外周の稜線３とシェルの端面４との区別がつきにくいことを特徴とする手品用具。
【考案の詳細な説明】
【技術分野】
【０００１】
本考案は、シェルとリングを重ね合わせ自在にリングの個数を増減させたように見せることの出来る手品用のリングに関するものである。  また、リングの一部分に切れ目を入れておき、シェルをかぶせることにより、片側から見ても、リングの切れ目の存在が分からないようにするものである。
【背景技術】
【０００２】
従来の手品用リングでは、リングの断面形状が円形という構造になっており、リングにシェルを嵌め込んだ状態ではリング円周の内外面にシェルとの接触面が見える欠点があった。
【考案の開示】
【課題を解決するための手段】
【０００３】
本考案では、リングにシェルが嵌っていることを悟られにくい手品リングを提供するものである。この目的を達成するために、リングの断面を六角形とし、このリングの片面いずれか一方に脱着可能なシェルも裏面はリング片面にそった形状の陥没を持ち、表面はリングの片面と同じ形状を持つリング状とし、リングの内外周の稜線とシェルの端面が接触することを特徴とする。
【考案の効果】
【０００４】
本考案による手品用リングは、リングの内外周の稜線とシェルの端面が接触することにより、シェルをリングに被せた際の接触面が観客から見えにくくなり、手品の仕掛けを客に推測されにくくできる。
【図面の簡単な説明】
【０００５】
【図１】本考案のリングの正面図である。
【図２】本考案のリングとシェルの断面図である。
【符号の説明】
【０００６】
１  リング
２  シェル
３  リング内外周の稜線
４  シェルの端面
【図１】
0003117259.tif 000003
【図２】
0003117259.tif 000004
(57)【要約】      （修正有）【課題】金属容器の底と蓋の空気穴を、穴が開いていないと誤認させ、また、観客が金属容器の中に重りを入れて振っても音を出さない、構造が簡単であり且つ操作も簡単に行える手品具を提供することにある。【解決手段】金属容器１、その内部にぴったり納まる重り５を組み合わせた、手品用品で、金属容器１の底と蓋２には、空気穴３が開いており、さらに空気穴３の周りには、同心円状の溝４が掘られていて、溝は、黒く塗装されている、一方、重り５は、一端は直径が大きな、大径端６、他端は直径が小さい、小径端７となっている。  金属容器１の内底部には、テーパー８加工が施されており、底になるほど、内径が小さくなっていて、最底部の内径は、重り５の大径端６より小さく、重り５の小径端７より大きくなっている。  【選択図】 図１
0003117260.tif 000002
【実用新案登録請求の範囲】
【請求項１】
金属容器１、蓋２、重り５から構成され、金属容器１の内径底部には、テーパー加工８が施されている、重り５は、円柱形で、一方の端と他端で直径が異なり、大径端６と小径端７を持つ、金属容器１の最底部の内径は、重り５の大径端６より小さく、小径端７より大きい、重り５の大径端６を下にして金属容器１に入れると、重り５は、テーパ８部分でロックされてしまう、一方、重り５の小径端７を下にして金属容器１に入れると、重り５は、金属容器の中で、ロックされることが無いことを特徴とする手品具。
【請求項２】
金属容器１、蓋２には、空気穴３を中心にして、同心円状の溝４が彫られており、その溝は、黒く塗装されている、このため空気穴３と同心円状の溝４を誤認することにより、金属容器１と蓋２に空気穴３が開いていないと誤認させる事を特徴とする、請求項１に記載する手品具。
【考案の詳細な説明】
【技術分野】
【０００１】
本発明は、複数の金属容器の中に重りを入れ、どの金属容器の中に重りが入っているかを誤認させる手品具に関するものである。
【背景技術】
【０００２】
底と蓋に小径の空気穴を開けた金属容器があり、その中に重りを入れ、蓋を閉めた後、金属容器を振ると、重りが移動する音で、内部に重りがあることが認識される、一方、金属容器の空気穴を指で塞いで振ると、金属容器内の空気の移動が困難となり、重りが移動せず、重りが金属容器内で音をたてなくなり、金属容器の中に重りが無いと誤認させる手品用品があった。
【考案の開示】
【考案が解決しようとする課題】
【０００３】
金属容器の底と蓋の空気穴を、穴が開いていないと誤認させ、また、観客が金属容器を振っても音を出さない、構造が簡単であり且つ操作も簡単に行える手品具を提供することにある。
【課題を解決するための手段】
【０００４】
金属容器とその内部にぴったり納まる重りを組み合わせた、手品用品で、金属容器の底と蓋には、空気穴が開いており、さらに空気穴の周りには、同心円状の溝が掘られていて、溝は、黒く塗装されている、このため、溝と空気穴の区別が付かなくなり、容器に穴が開いていないと誤認させる。  一方、重りは、一端は直径が大きな、大径端、他端は直径が小さい、小径端となっている。  金属容器の内底部には、テーパー加工が施されており、底になるほど、内径が小さくなっていて、最底部の内径は、重りの大径端より小さく、重りの小径端より大きくなっている。  金属容器の中に、重りの大径端を下にして入れると、重りは、容器の中でロックされてしまい、振っても重りの音がしないため、容器の中にあった重りが消えたと誤認させることが可能となる。
【考案の効果】
【０００５】
本発明の手品具によれば、金属容器に小径の空気穴が開いていないと誤認させることができる、また、金属容器の中で重りがロックされれば、観客に容器を振らせることができる。  
さらに、本発明の手品具は、構造が簡単であり且つ操作も簡単に行えるため、熟練したテクニックがない人でも、本発明の手品具を用いて容易に手品を行うことができる。
【実施例】
【０００６】
本発明の用具を３セット準備し、金属容器の中には、小径端を下にした重りをすべての容器の中に入れておく。  演者は、これら金属容器のうち任意の２つを振るときは、空気穴を塞いで振り、重りの音を出さない様にして、内部に重りが入っていないと、観客に誤認させる。  １つの容器は、空気穴を塞がずに振って、内部の重りが金属容器にぶつかる音を出し、間接的に金属容器内部に、重りが入っていると、観客に認識させ、３つの金属容器の中に、１つだけ、重りが入っていると観客に誤認させる。  
演者は、３つ金属容器の位置を入れ替え、観客に重りの位置を特定させるが、演者は、観客が想定していた金属容器以外から、蓋を開け、重りを取り出す。  演者は、再び重りを金属容器に入れるが、この時は、重りの大径端を下にして金属容器に入れると重りは、金属容器内で、直ちにロックされる。  この容器を観客が振っても、重りの音がしないので、観客に重りが消えたと誤認させることができる。
【図面の簡単な説明】
【０００７】
【図１】金属容器と重りを示した断面図である。
【符号の説明】
【０００８】
１  金属容器
２  蓋
３  空気穴
４  同心円状の溝
５  重り
６  大径端
７  小径端
【図１】
0003117260.tif 000003